(57)【要約】      （修正有）【課題】土木、建築に不可欠な砂利又は砕石又は砂利等を骨材にしたコンクリート又はブロックに於いても強靭に固化できる固化剤を提供する。【解決手段】熱硬化性合成樹脂のＣ°２５に於ける粘度の１２０００ｃｐｓ〜１３０００ｃｐｓの高分子群をミクロサイズ粉状の繊維に吸着させ、比重０．４程度の繊維群と混練させ、更に太さは同様ながら０．５ｍｍの繊維群を再混練させたことにより複合化した固化剤である。放射線セシウム又はそのセシウムを吸着させたゼオライト又は汚染土壌を固化できる。【選択図】なし【特許請求の範囲】
【請求項１】
之の特許は熱硬化性合成樹脂のＣ°２５に於ける粘度の１２０００ｃｐｓ〜１３０００ｃｐｓの高分子群をミクロサイズ粉状の繊維に吸着させて従来流動化させた溶剤の中で硬化剤と作用させて来たその反応と作用を比重０．４程度の繊維群と混練させることによって過分な流動化を抑えた繊維群との作用効果を更に太さは同様ながら０．５ｍｍの繊維群を再混練させたことによる複合化を以てした固化剤を以て放射線セシウム又はそのセシウムを吸着させたゼオライト又は汚染土壌を固化する固化剤とする。
【請求項２】
請求項１でした複合化のための繊維の長さを更に１ｍｍの繊維を再混練させた固化剤を以て雨水等で濡れたセシウム又はその汚染土等でもその水分を排出して固化する固化剤とする。
【請求項３】
請求項２でした固化剤に対して更に２ｍｍの繊維を混練させてした固化剤を以て河川又は港湾のヘドロを洗浄又は乾燥もしないで吸い上げたその現場で平型ミキサーで之の固化剤と混練して固化させる固化剤とする。
【請求項４】
請求項３でした固化剤に対して更に２５ｍｍ迄の繊維を混練して、土木又は建築に活用するコンクリートに混合している骨材の最大粒度３０ｍｍ迄のコンクリートに混合する固化剤とし、又は熱硬化性合成樹脂と繊維だけでした固化剤として活用する。
【請求項５】
請求項４でした固化剤をセメントで固化した容器に塗布して有害物の溶出を遮断する容器とする。
【請求項６】
之の発明でした固化剤を以て木材の様な一滴の水分でも吸収してそれを排出するコンクリート又はその二次製品としてのブロックとするほか、同様に目詰まりしない透排水性のヒューム管又はパイルを製造すること。
又之の発明でする固化剤を水と混合したセメント又はその合材と混合する場合は之の固化剤と所定の硬化剤は予め混練してからセメントに混合する。
【請求項７】
之の発明でした固化剤を接着剤とし又は塗料として活用する。
尚、吹付けでする塗料施工する場合の固化剤は、請求項１又は請求項２でしたものを活用するがその場合之の固化剤を本材とし硬化剤は同様の別の吹付機で硬化剤の混合割合を吹付機で調整して活用するものとする。
【発明の詳細な説明】
【技術分野】
【０００１】  固化しようとする物が放射線セシウム又はセシウム等を吸着したゼオライト又は汚染土又はフライアッシュの様に超微粒子状物質であるものから砂利又は細石又は粗砂細砂等を骨材にしたコンクリート又はブロックにする固化剤として熱硬化性合成樹脂を基材として繊維に重合化してした固化剤としたものを以てセメントに混合して従来のコンクリート又はブロック等の強度を靭性化したことによって強靭化し加えて可能にしきれなかった透俳水性又は有害物等の完全な遮断性等を創出して大地と人類社会との境界に広く活用してその双方の環境をいちじるしく劣化させて来た原因を改革するほか、熱硬化性合成樹脂とミクロンサイズの繊維群との重合化作用と更にその効果を拡大化させるためにする複合化によって超微粒子状物性の強靭化又は減容化を加えた効果を加えて久しく人類社会と自然界との環境崩壊を改革しようとするものである。
之の発明が従来のセメント又はアスファルト又は熱硬化性合成樹脂だけの物性では創出不可能であったコンクリート又はブロックとしての効果を果たし得なかった原因を完全に改革出来たことによって環境改良に留まらず国際社会の土木又は建築又は産業廃棄物の処理とリサイクルを改革する事によって経済効果と相まって地球温暖化に起因している天災への対処を加えての一大貢献を果たし従来の環境改良のために社会の経済を傾注するのではなく遂に関連業界の業績が多忙化して大きく経済効果を産み産業に働く人員増強化され又多忙化して関連の業務が増加され国際社会を含める地球次元の効果を提洪するものである。
【背景技術】
【０００２】  コンクリート及びブロックを構造して来たセメント又はアスファルト又は熱硬化性合成樹脂だけの物性では施工結果に於ける環境改良のための耐候性、耐塩性及び耐アルカリ性等多くの耐薬性に加えて高温熔融が必要なアスファルトはそれだけでも全国で高温処理に必要なプラントから多大な排熱による温暖化の原因を与えており耐磨耗性もセメント同様に多大な粉塵を排出して改たまることはない又産業界の発展は石炭灰の跡処理も不充分なままで石油へと移ったその結果は更に温暖化を増加させ遂には原発に於いては東日本での現状を振返れば抗弁の予知すらない有様であり、ただ固まったからそれで良いではないかとして来た、コンクリート又はブロックに大地又は社会の土台を構築する以外に特別の性能又は機能が必要なのかと問われて来た様な感じさえするのである。
セメントが日本に導入されたのが明治時代の末期、最初に日本橋が建築され次いで方々にビル又は橋等が構築され次いでアスファルトコンクリート、接着剤ボンドが渡来されて今日の基盤が構築されて来たのであるがその波が全国に及んだのは昭和２０年８月太平洋戦争の終結後に於ける復興によってコンクリート及びブロックの多用化が行われて来たものであった。太平洋戦争によって全国的に焼上となり特に広島、長崎には世界で初めての原爆が投下され、被爆者とその家族にとっては心身に深い傷跡を残したままになっている。あの原子爆弾が長崎に投下された日から数えても７８年の歳月しか経過していないことを想えばこの日本で原子力による発電が全国的に行われている現実は理解不可能な現実なのである。又原発たらずとも水俣病をはじめ明らかな原因によって多くの犠牲者が残されて行った、その砿山の流砂が山となって広大な州となってたまり川下の水俣湾には流出しない様になっているだけの仕末でその残影を残している、勿論石砂があの猛毒を吸収していないとは理解していてもあの砂と共に流れていた水が家族又は知人の生命を奪って行ったのだと想い出す機会を与える事になるのではないかと思う人々は多いであろう、少なくとも漁港には流出させない様にはなっていると言うことなので危険物ではあるまいが、全てを一過性のこの時代感が大変な気がかりではある。
有害物を遮断性のある容器又は袋等に入れて地下に埋めてしまうと言う処理又は大地を掘ってコンクリートで仕切りそのコンクリートの表面に樹脂を張って構造した処理場に収めて有害期を処理してきた方法が行われてきたが、要はその処理場をはじめその素材そのものの物性等の実態をより究明しての管理が必要なのではあるまいか。空気があり酸素がある限り物は酸化をし、破壊する様になっている。その耐酸性がどう処理されているのか又処理された現場がどうなっているのかそれぞれの実態が明らかにされているのか見えなく嗅わない物であれば完全に処理されているものと思われがちであるかが気がかりなのである。電流を通し気流を透して確認をする方法等様々ではあるが原点に戻って素材に対する究明が不足していたことが案じられるのである。
之の発明に於いては耐酸性、耐塩性、耐アルカリ性を求め加えて多くの耐薬性と強度を高揚させるためにはどうすれば良いのかの探求を続けてきた。然し文献を求めてみても、セメント、アスファルト及び熱硬化性合成樹脂に対応して求める事は不可能だと識り、自らが思考しなければならない事に気付いたのである。以来之の発明に通じる方策の全ては自らの想定にかかっていることを決意したものである。自らが想定し試して確認する日々に明け暮れる歳月が過ぎて行った。一筋の光を感じた時の喜びを感じられることが一年にあったのかも思い出せない位の歳月の連続のまま３０数年間の流れであったのである。
コンクリート、ブロックの強度を高揚させる方法に於いてもセメントに関する課題又はアスファルトに関する課題又は熱硬化性合成樹脂に関する分野を識る必要があったのは当然で、この三者はその物性を考えれば全く別な物であることから、コンクリートの分野ではその内のセメントの活用が最大であり舗装に於いてはアスファルトが専用化されている。又合成樹脂は接着剤として日本へは導入されたものでセメント又はアスファルトの様にコンクリート又はブロック等の資材として活用するものとして導入されて来たものではなかった。然も日本に導入された明治の末期以後セメントに次いでアスファルトが導入され少し遅れて合成樹脂が導入されたもので、土木、建築に取入れられて多様に活用され始めた。この三者がそれぞれの用途に究明されながら機械工業との発展の中で現在の産業界を構築して来たものである。セメントに足りない部分は合成樹脂で充しアスファルトで不足するものは樹脂で充すと言う思考を以てしたのが之の発明に至ったものである。
【先行技術文献】
【技術文献】
【０００３】
【特許文献１】  特開平７−２５６０号  公報
【特許文献２】  特開平７−２５６１号  公報
【特許文献３】  特開平７−２５６２号  公報
【特許文献４】  特開平７−２５６３号  公報
【特許文献５】  特開平７−２５６４号  公報
【特許文献６】  特開平７−２５６５号  公報
【特許文献７】    特開平７−２５６６号  公報
【特許文献８】  国際公開  第２０６５／０５２０６１号
【発明概要】
【発明が解決しようとする課題】
【０００５】  之の発明の課題１にしたのは、之の発明でした固化剤の中で熱硬化性合成樹脂の高分子群をミクロンサイズ粉状の繊維に吸着させたあと、その高分子と繊維の重合作用の効果をより拡大させる手段として太さは同様ながら長さが１ｍｍの繊維を再度その混練したものに混練して、粉状繊維と高分子とが重合した接着力を高揚し更にはその効果が接着力の高揚だけでなく、それ迄想定出来なかった高分子の作用が水中のヘドロの固化を果たしそれが海水の中のヘドロであっても固化されることを得たのである。
又高分子群の重合作用を想定して混練した中に再度長さが異なる繊維群を混練して固化剤としたところ、その重合の効果が水中に於いても作用することを得た、之の発明は長さが異なる繊維を繰り返すことによって高分子とを吸着した繊維群の作用は極めてうすい層状になって広がりを見せる効果を確認したのである。
高分子の作用がこの様な作用をすることは全く想像しなかったばかりか高分子の作用が油性でありながら水で混合したセメント合材即ちコンクリートに対して混合も可能であることに到達したのである。之の発明を以って最初に高分子群をミクロンサイズ粉状の繊維群と混練して重合させた混練物に対してその効果を拡大するためにした長さを異にした繊維群を再度混練して吸着させる更にその効果を拡大することを複合化と名づけた。
高分子群を液状の溶剤に練り込んでした物性に対して硬化剤を混練して来た工法では全く想定出来無かった効果を確立出来たことを確立させたのが之の発明であった。
高分子群をミクロンサイズの繊維群に吸着させることによって、高分子の作用を抜本的に改革したことによって、高分子の作用には求められないと学んで来たことが可能なことを現実にしたのが之の発明であった。
油性の熱硬化性合成樹脂で接着固化しようとするものとを混練しても溶剤の量が多ければ従来通りの効果しか出来なかったものがミクロンサイズの繊維群に高分子群を吸着させて硬化させたものに、更に太さは同様ながら長さが異る繊維に再吸着させることによって、従来想定出来なかった高分子と繊維群との重合を複合させることによる新しい作用を確認したのである。
之の発明は硬化剤と混練しなければ固化反応ない二液性の本材に対してミクロンサイズの繊維群に吸着させて固化剤としているため、固化しようとする対象が超微粒子状の物性である焼却灰フライアッシュ又は火山灰シラス、又は放射線セシウムのような物性であっても混練を急がなければ途中で固化してしまうこともなく、確実に混練したうえで硬化剤と反応させることも得て確実な作業を可能にしたものである。
之の発明でした固化剤を水又は海水の中でヘドロ化したものを固化する場合はこの固化剤と硬化剤とを先に混練してから水中のヘドロと混練りさせることで水又は海水に妨害されることなく固化剤の役割を果たしえたのである。
又高分子群を吸着したミクロンサイズの繊維群は高分子だけを吸着しているのではなく吸着させた高分子群が硬化剤と反応するのに必要な最小限の溶剤を同時に吸着していることによって硬化剤との反応も正常に行い固化に支障を与えることもなく且つ高分子群の接着力を相乗りさせるための繊維群の靭性を之の固化剤に加えた効果になったのである。
之の発明が熱硬化性合成樹脂Ｃ°２５に於ける粘度に条件を付したのは固化しようとする物との間に困難を予期する様な場合であっても其のことによって固化剤としての機能を低下させないためである。
以上の様な反応に際する用件を想定したことによって、骨材の硬度又は安定度が条件を充していない超微粒子状の物体の固化であっても、固化剤に活用する繊維の長さ又は量によって之の固化剤の作用は様々に変化することも可能にすることを得たほか単に高分子群の重合又は複合化を重視しながらも接着、固化作用に於いては重合化だけの作用だけでなく更にその重合化させた高分子の作用は細部に亘って密度を充す接着作用を促しているのである。
高分子の作用で効果又は固化するものの場合は接着密度にその分子の大きさによって厳格には分子と分子又は分子と固化又は固化又は硬貨の作用の間に微毛細な空隙を生ずるがその物性による利点として通気性の機能に利しその微毛細な空隙であっても完全に遮断しなければならない場合は高分子群と繊維との量を増加させた活用で機能を充すものとしているのが之の固化剤なのである。
即ち之の発明はその殆んどが固化剤又は接着剤又は塗料として多用化されていながら今でも確実に固化が出来ず又は大地との境界にコンクリートとなって人類社会を支えなければならないのに雨水を大地に浸透させてやることも充分に出来ず又は耐候性、機能性等安心出来ないコンクリート又はその二次製品であるブロックだと指摘されてきたのである、又土砂崩れ崖崩れの原因が大地を割って通路を通したり又は砂防をしなければ土壁の背後から排水と共に土砂が排出され遂には目詰まりを起こした結果は土砂崩れ、崖崩れを起こして終う例は少なくない、それも砂防又は繊維ブロックが背面から排水を目詰まりさせないで排水させていればこそ事故に至ることは少なくなるのである。
建築物の基礎構造に於けるコンクリートに於いても機能的にも同様で、砂防としての排水性又は性能としての耐酸性又は耐塩性又は耐アルカリ性等の耐薬性が充分では無かったために、大地への役割と共に社会の基盤にさえも充分に果し得ない結果に終っていた現場が多かった事は事実であった。
大地の構造は大小無数の水みちを構成しており、その水みちをとおして通気と透水を得て土壌の活性と生物の活性をえているのである、仮に水みちが破壊されてしまえばその土壌は活性を失くして終う訳であるが、活性をなくしてしまう前に土壌に蓄えられた水は弱い箇所に移動しながら新しい水みちを構造しようとするもであるがそれさえも叶えられなければ、その周辺の土壌は殆んど仮死した状況に変るのである。
一方成層圏の気温に変化を与えれば気流、気圧に変化を起こし当然のこととして急激な変化を起こして雲にも変動、変化を起こさせて突風又は竜巻をおこす等是迄には起こる事の無かった現象が起こる様になった自然界なのである。風土、気候に変化が起これば元来地震大国である日本に於いては地震の発生も無関係なのでは無く、津波の発生にも関連するのが自然の現状なのである。四面を海に囲まれた日本のような国で、津波に対応するためには現在の生活エリアの全てを高台化しなければならないと言うことなのであるが、その構造物の全ての強度全てがより強度化しなければならないと言う事なのである。当然海につながった河川又は沼又は湖の周辺も同様なのである。然もそのセメント構造物を始め全ての構造物が強度アップしなければならないのである。その殆んどがセメント構造物がその対象となる訳であるがその強度は２倍〜３倍もの強度であれば充分だと言う事ではない、より強くなければ是からの社会は維持出来ないと言う課題なのである。是迄のコンクリートブロックが倍又は３倍の強度に達すれば社会は維持可能と言うことなのであるが是からの最大の課題なのである。
セメントアスファルト、熱硬化性合成樹脂のコンクリート又はセメントコンクリート又は熱硬化性合成樹脂だけでしたブロックだけでブロックにした全ての物性では到底是らの震度８以上の地震又は津波又は突風又は竜巻等の発生時には対抗出来る強度の維持は不可能となるであろう。少なく共震度８．５以上の地震またはその原因で起こる津波又は突風、竜巻等に対抗可能なコンクリート並びにブロックはセメントと熱硬化性合成樹脂の高分子群をミクロンサイズ粉状の繊維を混練して高分子と繊維群の重合作用を促した混練物に対して更にそのコンクリート又はブロックに選択した骨材の最大粒度の骨材のサイズより０．５ｍｍ短い繊維群を短い順に混練して高分子群と繊維群を完全に複合化した構造の合材でなければ耐候性を維持する事は不可能なのである。
是まで最も対抗性が強いと信じて来たセメントコンクリート及びセメントブロックの強度には不可欠であった靭性を混合することが出来ずその物性が石炭岩の粉末を水と混合して使用する物性の活用を条件として来たための結果でありアスファルトが科学的な条件にプラス出来る物理的な現象の維持等の物性を以って物理的な靭性を手段にしようとしてもＣ°１７０もの高温で溶融しなければならない物性での条件であったため発想が不可能だったのである。
そしてセメントが石材の粉末と水との混合体であったために、アスファルト又は合成樹脂等の物性を一体化することが出来ず繊維等の一体化を思考することが出来なかったことはそれぞれの欠陥となっていた。
接着剤又は固化剤である以上固化しようとする物が粉状の物であれ液状の物であれ又見える物であれ見えない物であれ又酸性、塩性、アルカリ性に関わらずその固化された物が確かな固化物として評価出来る物でなければならないのではないか、之の発明をした者としてそう思うのである。
現に之の発明が大地をはじめとする自然界と人類社会に於いて相互の強度と通気性、透水性又は有害物に対する遮断性は勿論のこと、一滴の水分でも吸収してそれを排水する性能と機能さえも確立させたものである。
エネルギーとしての石油が燃料とは別にエチレン化され、石油の活性化が２００種類を越える工業界を確立した訳であるが特にエチレンから高分子と硬化剤とを創出した事によって液状の合成樹脂と粉状の合成樹脂の二大工業界を発展させて来たのであるが、液状でなければ固化しようとする物と混合又は混練が出来ないと言う事では均一な混練と施工を可能にするための接着剤又は塗料にとっては是非なく液状である必要があったのである。然し之の発明に於いては、液状のための溶剤の必要性に就いては、最小限の液剤があれば良いと言う発想に基づいたことによることもあり之の発明の基剤にしていた熱硬化性合成樹脂だったのである。
【課題を解決するための手段】
【０００６】  之の発明は熱硬化性合成樹脂のＣ°２５に於ける高分子群をミクロンサイズ粉状の繊維に吸着させることによって高分子の重合化作用を促し、更にはこれに太さは同様ながら長さを異にする繊維を再混練して複合作用をさせることによって、従来の合成樹脂の固化作用を高分子の重合と複合作用を意図して、然も軽量で且つ強靭な繊維を介して実現した又重合作用をした高分子は従来の個々の作用とは異なる強度を高揚し、且つその効果を複合化のために再吸着させた手段に於いては、長さの異なる作用によって薄膜状に拡張する
粘性によっての効果によって高分子と硬化剤との混練作用を繊維の長さに乗じて拡大して作用させることに成功したのである。
従って之の発明による高分子群の作用は過剰な流動性の中での高分子が個々の状態で作用して来たことに対して、硬化剤との混練に最小限必要な化学合成上必要な溶剤は、当初の重合、次いで複合化のためにした繊維群との相乗作用によって、高分子の作用と繊維による作用を一体化した作用を確立したものである。
本来の効果は高分子と硬化剤による接着剤の効果であっても高分子そのものの効果が高分子個々の作用であったため、繊維に吸着重合及び複合化された効果に至った事と、繊維に吸着作用を手段としたことによって繊維そのものが高分子群と溶剤との相互作用によって、極めて強靭化していることによって之の固化剤による固化物が想定を越えた強靭化を確立したばかりでなく、その繊維の作用によってランダムに作用しての薄膜状に拡張しているため固化剤の中に超微粒子状の空隙を構造させることは容易であり骨材間に空隙を求めて来た透排水性とは全く異なって、目詰りのない透排水性はもとよりその空隙群を調整可能にしたこともその効果は絶大なものであった。
又之の発明が課題としたヘドロの処理に於いても耐候性と共に超微粒子状物の確実な強靭を可能にするだけでなく濡れたままのヘドロ又は焼却灰フライアッシュ又は火山灰シラス等の固化を現実にした。既に国際社会に於いても不足しているのが砕石、砂利、砂等の骨材なのである。この骨材が不足していたのでは土木、建築等に於いては致命的な事態であって河川又は海岸の堤防を高くするにも居住地をかさあげしたり平地をかさあげするにも山を崩して宛てるしかなく益々環境劣化の問題を提起することになる、
之の固化剤の発明によって日々増産され、確実な固化が不可能であった焼却灰フライアッシュ又は火山灰シラス等に加えて久しく末処理のまま排棄されていた雑多な廃棄物を之の固化剤で強靭な固化物として確実に処理して骨材としてリサイクル化を可能にすることが実行出来るのである。又之の発明の固化剤で固化した物がそのまま粘度別にクラックすれば正に産廃の骨材化を以ってリサイクルを実現出来る事になる。
又之の発明によって汚染土等の処理だけでなく放射線セシウム、コバルト等が河川又は海に流出したその汚染水（海水を含む）を焼却灰フライアッシュ等に混練したものにして之の固化剤と一体化すれば汚染水の中の有害物を確実に固化することを可能にする、但しこの場合固化した跡の排水は残るので別の容器に移して有害物の残留を確認してその量が多ければ次の作業でその汚染水の処理を繰り返して残留度を無くして行けばよい。
之の発明の最大の効果は、セメントコンクリートと之の固化剤を混練可能にした事である。然もその効果がコンクリート及びブロックとして最大活用されている分野で想定を超える強靭さを確立し加えて是まで以下の量にして有害物を確実に固化して耐候性並びに一滴の水滴でも是を吸収して排水可能な機能性を加えての活用を実証しているのである。
【発明の効果】
［セメントとの合体］
従来の熱硬化性合成樹脂のままでは、セメント合材との混合は不可能であった事は周知の通りであった。之の発明はセメントと水、骨材を混合したものに之の発明による固化剤の混練を可能にしたのである。
油と水、ましてや海水であっても混練を可能にした効果は絶大である。その施工性に於いて極めて流動性に充ちたセメントコンクリートに対して、骨材込みの重量に対して、２０ｗｔ％〜２５ｗｔ％の固化剤の混練で充分にコンクリートの性能と機能を改革可能とする。この場合之の固化剤には硬化剤を混練してからセメントに混練する。
［セメントブロックと混練一体化］
この場合もセメントコンクリートに対して２０ｗｔ％〜２５ｗｔ％の之の固化剤を混練して行うが、この場合も之の固化剤には硬化剤を混練してからセメント合剤に混合する。
［熱硬化性合成樹脂だけの固化剤では］
セメント合剤の比重は２．５前後の比重に対して、之の固化剤は比重１程度であるため従来の想定をはるかに軽量化した固化剤であることを特徴とする。
【図面の簡単な説明】［図１はフライアッシュを固化した拡大図、図２は舗装等合材を固化した］
図１
符号の説明
Ａ・・フライアッシュ    Ｂ・・繊維に吸着させた高分子郡の拡大図
2015219230.tif 000002
図２
符号の説明
Ｃ・・骨材    Ｄ・・繊維に吸着させた高分子郡
2015219230.tif 000003
【実施例】  セメントコンクリートに混合一体化する之の発明による固化剤は熱硬化性合成樹脂のＣ°２５に於ける粘度が１２０００ｃｐｓ〜１３０００ｃｐｓの高分子群をミクロンサイズ粉状の繊維に混練させて吸着させて高分子の重合化を促し更にはこれに太さは同様ながら長さが１ｍｍ〜セメントコンクリートに混合している骨材の最大粒度までの繊維を１ｍｍ毎に再混練して複合化を促した固化剤をセメントコンクリートの重量に対して２０ｗｔ％〜２５ｗｔ％の固化剤に硬化剤を混練したうえで混合する。
繊維の混練時間は、ミクロンサイズ粉状の繊維は２分、更に複合化のために１ｍｍ毎に再混練するのは各１分毎に混練する。又その固化剤をセメントコンクリートに混合するのは約２分とする。
之の固化剤の製造に於いてはオム二ミキサー、又はニーダーで行いその固化剤をセメントコンクリートと混合するミキサーは平型ミキサーほか一般的なミキサーでする。混合を済ませたセメントコンクリートはコンクリートの用途に応じてその型の中に流し込んで固化する。又そのコンクリートをブロックにするときはその型の中に流し込んで固化する。
【発明を実施するための形態】
［超微粒子状物体の固化剤］
之の発明は熱硬化性合成樹脂の高分子を練り混んだ二液性本体の高粒度性とそれを吸着したミクロンサイズ粉状の繊維群の作用によって確立された物性の効果によって成立する。従って高分子を混練した本剤のＣ°２５に於ける粒度が１２０００ｃｐｓ〜１３０００ｃｐｓに対して是にミクロンサイズ粉状の繊維群に高分子群を吸着させて高分子の重合作用を意図したもので更にはその混練物に長さが１ｍｍの繊維を更に混練して重合化し効果を拡大し複合化をした固化剤を以って固化させる、対象は放射線セシウム又はセシウム等を吸着したゼオライト等の様に超微粒状物を対象に固化しようとする固化剤である。
又その固化しようとする物が河川の中のヘドロ又はセシウム等が海に流出した汚染水を対象にした固化剤にしたものであり、之の発明でする固化剤は放射線セシウム等をはじめ超微粒子状物質を含め久しく構築し続けて来たセメント、アスファルト等の構造から施工迄の不可欠な熱量等の削減を国際社会が一部でも削減することを実施するにもその対象となる業界のその経済活動が削減される分だけプラスになる代替技術が加えられなければ社会経済に多大な問題を生じる事になるのである。従来の社会通念の展開で一時代が変化する様なことでは無く国策を中心にした改革が重要且つ不可欠だったのである。地球環境は既にその時代を迎えている事は言う迄もない。地方自治体を含め行政の責任に於いて対策に参加させる様にならなければ現状に於ける地球次元の環境改革は実現されることなく、万類共生の地球は終局を迎えざるを得ないと言うことになるのではあるまいか。
之の発明によって久しく不可能とされて来た超微粒子物体、即ち放射性物質又は焼却灰の中のフライアッシュ等が固化処理の対象として処理不可能となって来たその理由は超微粒子物体の固化可能な固化剤が存在しなかったと言う事だったのである。即ちセメントでも又アスファルトでも又合成樹脂であっても、粉状又は練状の物を固化する物が無かったからだと言う事なのである。然し化学技術が広域に広まる現代社会に於いて産業の発展は日進月歩でありその発展を妨げる事は不可能に近い、当然の事ながら経済効果を伴うものであれば尚更の事である。そうして廃材が排出され廃材の中には超微粒子状の物体が排出される量が大気中又は河川又は海に流出して益々環境被害を過酷な状態に加速していることも案じられるのである。焼却処理も高温化が進みその処理量も増加されてはきたが高温化された事によって処理された焼却灰の中にフライアッシュの量が益々大量化しているのである。又火山灰の中のシラスは固化することが不可能で流出した大地に於いてひたすら流れることしか出来ない始末に終っているのが実状なのである。
振り返れば是までにも石炭灰は言うまでも無くＰＣＢ、断熱剤、石綿等々見ることは少なくはなった物のどの様な処理で安全安心なのだと広報して来たのであろうか。何れの公害物もそれぞれの時代に於いては社会に於いて役割を果たして来た物である、然し公害物となって確実な処理方法も解明しないままその形態だけが消えてしまったと思われるのではあるまいか。
【産業上の利用可能性】  之の発明は大地と人類社会との境界をコンクリート又はブロック等で固めて来たのがそのコンクリート又はブロックをはじめ人類社会と自然界が相互に共有又は完全に遮断しなければならなかった性能をコンクリート又はブロック等の物性に於ける原因と技術未開発による原因で人類社会は人類社会なりに自然界は自然界なりに環境分野に於いて支えあうことが限界に来たことを身につまされる時代を迎えている。石炭に端を発したエネルギーによる産業界の発展は石油に代わって一層社会は発展して今日を築いた、然しその自然では地球の温暖化と大地の広域に於ける沈下を起こして来た社会に於いては土壌の涸渇を招き又一方では地盤液状化又は港湾又はダムに於いては土砂の流れによって発生しているヘドロの中では有害なガスを発生させ道路の立橋部分又はトンネルでの事故等が多発し、３．１１の東日本大地震後は止むことを忘れた余震は続くばかりではなく気流の変化は気温迄も変じて突風も珍しくはなくなっている、季節外れのひょうが落ちれば日本では珍しかった竜巻が襲い農作物の被害はもとより建築物にも大きな被害が方々で起っている、又地震の跡の津波の予兆も決して２０〜３０年に一回の襲来ではない予兆である。東日本での原発事故の跡の復興も今日の状況では部分的であれ日本沈没も既に物語の中の話では無くなっているのである、又深海にしか居ない様々な海水物が頻繁に姿を見せているのも気がかりである。四面を海に囲まれた日本では、全国あらゆる所が崩落して終う恐れを感じないではいられない昨今なのである。
この様な環境の中で福島だけの原発事故が居並ぶ中で他の原発の事故が起こらないと言う保証は全く無いのである、古くは昭和２０年８月６日の広島、同９日の長崎その後の福龍丸が水爆実験の被害を受けた日本の原子力に対する感受性はどうなってしまったのであろうか、原発の被害にあってからでさえ
2015219230.tif 000004
えているのではあるまいか。
産廃による被害にも６０余年の間に実に様々な態験に泣いて来たのである、その原因も実に様々であった。その原因になった物を確実に処理可能な技術は無かった筈なのであるがどの様に処理されての心配や不安はないのか否かも確認したいものである。
放射線等を含めて今でもセメント、アスファルト、熱硬化性合成樹脂のままの物性で確実に固化出来てＰＣＢ又は断熱材石綿又は放射線等の様な超微粒子状の物質を確実に固化して、然もその固化物から有害物を溶出させない固化剤は存在しなかったのである、又生コン専用車で生コンを現場でおろし１日の終わりには全国で働く生コン車はそれぞれの洗い場で生コン車に残った生コンを洗い流す訳であるが、流される生コンの量はそれぞれかなりの量になっているのである、そして流された生コンの廃材生コンノロは有害物として指定された所迄移動しなければ処理することが出来ないのが業界の悩みとなっているのである。然しその悩みは単なる悩みなのではない、何を以っても解決しなければならない課題になっていたのであってこの発明はその固化も解決したものである。
之の発明による固化剤の実現によって、容積を大きく減容を実現し、更にはその固化物が是れ迄には想定不可能であった靭性を伴う強度を実現したのである。従って限りなく増大化して来る産業廃棄物の焼却処理に益々超微粒子状のフライアッシュが日々増量化する状態の世相に最も適応した技術の開発が可能にする事になった。そして是れからのコンクリート又はブロック等は従来のクラックしただけでは強度を備えた骨材として活用するを得なかったが之の発明による固化剤が混練された結果廃材は靭性を得ていた物性によって再三再四に亘て骨材としてのリサイクルを実現する技術なのである。
【手続補正書】
【提出日】平成26年9月4日(2014.9.4)
【手続補正１】
【補正対象書類名】明細書
【補正対象項目名】全文
【補正方法】変更
【補正の内容】
【発明の詳細な説明】
【技術分野】
【０００１】  固化しようとする物が放射線セシウム又はセシウム等を吸着したゼオライト又は汚染土又はフライアッシュの様に超微粒子状物質であるものから砂利又は細石又は粗砂細砂等を骨材にしたコンクリート又はブロックにする固化剤として熱硬化性合成樹脂を基材として繊維に重合化してした固化剤としたものを以てセメントに混合して従来のコンクリート又はブロック等の強度を靭性化したことによって強靭化し加えて可能にしきれなかった透俳水性又は有害物等の完全な遮断性等を創出して大地と人類社会との境界に広く活用してその双方の環境をいちじるしく劣化させて来た原因を改革するほか、熱硬化性合成樹脂とミクロンサイズの繊維群との重合化作用と更にその効果を拡大化させるためにする複合化によって超微粒子状物性の強靭化又は減容化を加えた効果を加えて久しく人類社会と自然界との環境崩壊を改革しようとするものである。
之の発明が従来のセメント又はアスファルト又は熱硬化性合成樹脂だけの物性では創出不可能であったコンクリート又はブロックとしての効果を果たし得なかった原因を完全に改革出来たことによって環境改良に留まらず国際社会の土木又は建築又は産業廃棄物の処理とリサイクルを改革する事によって経済効果と相まって地球温暖化に起因している天災への対処を加えての一大貢献を果たし従来の環境改良のために社会の経済を傾注するのではなく遂に関連業界の業績が多忙化して大きく経済効果を産み産業に働く人員増強化され又多忙化して関連の業務が増加され国際社会を含める地球次元の効果を提洪するものである。
【背景技術】
【０００２】  コンクリート及びブロックを構造して来たセメント又はアスファルト又は熱硬化性合成樹脂だけの物性では施工結果に於ける環境改良のための耐候性、耐塩性及び耐アルカリ性等多くの耐薬性に加えて高温熔融が必要なアスファルトはそれだけでも全国で高温処理に必要なプラントから多大な排熱による温暖化の原因を与えており耐磨耗性もセメント同様に多大な粉塵を排出して改たまることはない又産業界の発展は石炭灰の跡処理も不充分なままで石油へと移ったその結果は更に温暖化を増加させ遂には原発に於いては東日本での現状を振返れば抗弁の予知すらない有様であり、ただ固まったからそれで良いではないかとして来た、コンクリート又はブロックに大地又は社会の土台を構築する以外に特別の性能又は機能が必要なのかと問われて来た様な感じさえするのである。
セメントが日本に導入されたのが明治時代の末期、最初に日本橋が建築され次いで方々にビル又は橋等が構築され次いでアスファルトコンクリート、接着剤ボンドが渡来されて今日の基盤が構築されて来たのであるがその波が全国に及んだのは昭和２０年８月太平洋戦争の終結後に於ける復興によってコンクリート及びブロックの多用化が行われて来たものであった。太平洋戦争によって全国的に焼上となり特に広島、長崎には世界で初めての原爆が投下され、被爆者とその家族にとっては心身に深い傷跡を残したままになっている。あの原子爆弾が長崎に投下された日から数えても７８年の歳月しか経過していないことを想えばこの日本で原子力による発電が全国的に行われている現実は理解不可能な現実なのである。又原発たらずとも水俣病をはじめ明らかな原因によって多くの犠牲者が残されて行った、その砿山の流砂が山となって広大な州となってたまり川下の水俣湾には流出しない様になっているだけの仕末でその残影を残している、勿論石砂があの猛毒を吸収していないとは理解していてもあの砂と共に流れていた水が家族又は知人の生命を奪って行ったのだと想い出す機会を与える事になるのではないかと思う人々は多いであろう、少なくとも漁港には流出させない様にはなっていると言うことなので危険物ではあるまいが、全てを一過性のこの時代感が大変な気がかりではある。
有害物を遮断性のある容器又は袋等に入れて地下に埋めてしまうと言う処理又は大地を掘ってコンクリートで仕切りそのコンクリートの表面に樹脂を張って構造した処理場に収めて有害期を処理してきた方法が行われてきたが、要はその処理場をはじめその素材そのものの物性等の実態をより究明しての管理が必要なのではあるまいか。空気があり酸素がある限り物は酸化をし、破壊する様になっている。その耐酸性がどう処理されているのか又処理された現場がどうなっているのかそれぞれの実態が明らかにされているのか見えなく嗅わない物であれば完全に処理されているものと思われがちであるかが気がかりなのである。電流を通し気流を透して確認をする方法等様々ではあるが原点に戻って素材に対する究明が不足していたことが案じられるのである。
之の発明に於いては耐酸性、耐塩性、耐アルカリ性を求め加えて多くの耐薬性と強度を高揚させるためにはどうすれば良いのかの探求を続けてきた。然し文献を求めてみても、セメント、アスファルト及び熱硬化性合成樹脂に対応して求める事は不可能だと識り、自らが思考しなければならない事に気付いたのである。以来之の発明に通じる方策の全ては自らの想定にかかっていることを決意したものである。自らが想定し試して確認する日々に明け暮れる歳月が過ぎて行った。一筋の光を感じた時の喜びを感じられることが一年にあったのかも思い出せない位の歳月の連続のまま３０数年間の流れであったのである。
コンクリート、ブロックの強度を高揚させる方法に於いてもセメントに関する課題又はアスファルトに関する課題又は熱硬化性合成樹脂に関する分野を識る必要があったのは当然で、この三者はその物性を考えれば全く別な物であることから、コンクリートの分野ではその内のセメントの活用が最大であり舗装に於いてはアスファルトが専用化されている。又合成樹脂は接着剤として日本へは導入されたものでセメント又はアスファルトの様にコンクリート又はブロック等の資材として活用するものとして導入されて来たものではなかった。然も日本に導入された明治の末期以後セメントに次いでアスファルトが導入され少し遅れて合成樹脂が導入されたもので、土木、建築に取入れられて多様に活用され始めた。この三者がそれぞれの用途に究明されながら機械工業との発展の中で現在の産業界を構築して来たものである。セメントに足りない部分は合成樹脂で充しアスファルトで不足するものは樹脂で充すと言う思考を以てしたのが之の発明に至ったものである。
【先行技術文献】
【特許文献】
【０００３】
【特許文献１】  特開平７−２５６０号  公報
【特許文献２】  特開平７−２５６１号  公報
【特許文献３】  特開平７−２５６２号  公報
【特許文献４】  特開平７−２５６３号  公報
【特許文献５】  特開平７−２５６４号  公報
【特許文献６】  特開平７−２５６５号  公報
【特許文献７】  特開平７−２５６６号  公報
【特許文献８】  国際公開  第２０６５／０５２０６１号
【発明の概要】
【発明が解決しようとする課題】
【０００５】  之の発明の課題１にしたのは、之の発明でした固化剤の中で熱硬化性合成樹脂の高分子群をミクロンサイズ粉状の繊維に吸着させたあと、その高分子と繊維の重合作用の効果をより拡大させる手段として太さは同様ながら長さが１ｍｍの繊維を再度その混練したものに混練して、粉状繊維と高分子とが重合した接着力を高揚し更にはその効果が接着力の高揚だけでなく、それ迄想定出来なかった高分子の作用が水中のヘドロの固化を果たしそれが海水の中のヘドロであっても固化されることを得たのである。
又高分子群の重合作用を想定して混練した中に再度長さが異なる繊維群を混練して固化剤としたところ、その重合の効果が水中に於いても作用することを得た、之の発明は長さが異なる繊維を繰り返すことによって高分子とを吸着した繊維群の作用は極めてうすい層状になって広がりを見せる効果を確認したのである。
高分子の作用がこの様な作用をすることは全く想像しなかったばかりか高分子の作用が油性でありながら水で混合したセメント合材即ちコンクリートに対して混合も可能であることに到達したのである。之の発明を以って最初に高分子群をミクロンサイズ粉状の繊維群と混練して重合させた混練物に対してその効果を拡大するためにした長さを異にした繊維群を再度混練して吸着させる更にその効果を拡大することを複合化と名づけた。
高分子群を液状の溶剤に練り込んでした物性に対して硬化剤を混練して来た工法では全く想定出来無かった効果を確立出来たことを確立させたのが之の発明であった。
高分子群をミクロンサイズの繊維群に吸着させることによって、高分子の作用を抜本的に改革したことによって、高分子の作用には求められないと学んで来たことが可能なことを現実にしたのが之の発明であった。
油性の熱硬化性合成樹脂で接着固化しようとするものとを混練しても溶剤の量が多ければ従来通りの効果しか出来なかったものがミクロンサイズの繊維群に高分子群を吸着させて硬化させたものに、更に太さは同様ながら長さが異る繊維に再吸着させることによって、従来想定出来なかった高分子と繊維群との重合を複合させることによる新しい作用を確認したのである。
之の発明は硬化剤と混練しなければ固化反応ない二液性の本材に対してミクロンサイズの繊維群に吸着させて固化剤としているため、固化しようとする対象が超微粒子状の物性である焼却灰フライアッシュ又は火山灰シラス、又は放射線セシウムのような物性であっても混練を急がなければ途中で固化してしまうこともなく、確実に混練したうえで硬化剤と反応させることも得て確実な作業を可能にしたものである。
之の発明でした固化剤を水又は海水の中でヘドロ化したものを固化する場合はこの固化剤と硬化剤とを先に混練してから水中のヘドロと混練りさせることで水又は海水に妨害されることなく固化剤の役割を果たしえたのである。
又高分子群を吸着したミクロンサイズの繊維群は高分子だけを吸着しているのではなく吸着させた高分子群が硬化剤と反応するのに必要な最小限の溶剤を同時に吸着していることによって硬化剤との反応も正常に行い固化に支障を与えることもなく且つ高分子群の接着力を相乗りさせるための繊維群の靭性を之の固化剤に加えた効果になったのである。
之の発明が熱硬化性合成樹脂Ｃ°２５に於ける粘度に条件を付したのは固化しようとする物との間に困難を予期する様な場合であっても其のことによって固化剤としての機能を低下させないためである。
以上の様な反応に際する用件を想定したことによって、骨材の硬度又は安定度が条件を充していない超微粒子状の物体の固化であっても、固化剤に活用する繊維の長さ又は量によって之の固化剤の作用は様々に変化することも可能にすることを得たほか単に高分子群の重合又は複合化を重視しながらも接着、固化作用に於いては重合化だけの作用だけでなく更にその重合化させた高分子の作用は細部に亘って密度を充す接着作用を促しているのである。
高分子の作用で効果又は固化するものの場合は接着密度にその分子の大きさによって厳格には分子と分子又は分子と固化又は固化又は硬貨の作用の間に微毛細な空隙を生ずるがその物性による利点として通気性の機能に利しその微毛細な空隙であっても完全に遮断しなければならない場合は高分子群と繊維との量を増加させた活用で機能を充すものとしているのが之の固化剤なのである。
即ち之の発明はその殆んどが固化剤又は接着剤又は塗料として多用化されていながら今でも確実に固化が出来ず又は大地との境界にコンクリートとなって人類社会を支えなければならないのに雨水を大地に浸透させてやることも充分に出来ず又は耐候性、機能性等安心出来ないコンクリート又はその二次製品であるブロックだと指摘されてきたのである、又土砂崩れ崖崩れの原因が大地を割って通路を通したり又は砂防をしなければ土壁の背後から排水と共に土砂が排出され遂には目詰まりを起こした結果は土砂崩れ、崖崩れを起こして終う例は少なくない、それも砂防又は繊維ブロックが背面から排水を目詰まりさせないで排水させていればこそ事故に至ることは少なくなるのである。
建築物の基礎構造に於けるコンクリートに於いても機能的にも同様で、砂防としての排水性又は性能としての耐酸性又は耐塩性又は耐アルカリ性等の耐薬性が充分では無かったために、大地への役割と共に社会の基盤にさえも充分に果し得ない結果に終っていた現場が多かった事は事実であった。
大地の構造は大小無数の水みちを構成しており、その水みちをとおして通気と透水を得て土壌の活性と生物の活性をえているのである、仮に水みちが破壊されてしまえばその土壌は活性を失くして終う訳であるが、活性をなくしてしまう前に土壌に蓄えられた水は弱い箇所に移動しながら新しい水みちを構造しようとするもであるがそれさえも叶えられなければ、その周辺の土壌は殆んど仮死した状況に変るのである。
一方成層圏の気温に変化を与えれば気流、気圧に変化を起こし当然のこととして急激な変化を起こして雲にも変動、変化を起こさせて突風又は竜巻をおこす等是迄には起こる事の無かった現象が起こる様になった自然界なのである。風土、気候に変化が起これば元来地震大国である日本に於いては地震の発生も無関係なのでは無く、津波の発生にも関連するのが自然の現状なのである。
四面を海に囲まれた日本のような国で、津波に対応するためには現在の生活エリアの全てを高台化しなければならないと言うことなのであるが、その構造物の全ての強度全てがより強度化しなければならないと言う事なのである。当然海につながった河川又は沼又は湖の周辺も同様なのである。然もそのセメント構造物を始め全ての構造物が強度アップしなければならないのである。その殆んどがセメント構造物がその対象となる訳であるがその強度は２倍〜３倍もの強度であれば充分だと言う事ではない、より強くなければ是からの社会は維持出来ないと言う課題なのである。是迄のコンクリートブロックが倍又は３倍の強度に達すれば社会は維持可能と言うことなのであるが是からの最大の課題なのである。
セメントアスファルト、熱硬化性合成樹脂のコンクリート又はセメントコンクリート又は熱硬化性合成樹脂だけでしたブロックだけでブロックにした全ての物性では到底是らの震度８以上の地震又は津波又は突風又は竜巻等の発生時には対抗出来る強度の維持は不可能となるであろう。少なく共震度８．５以上の地震またはその原因で起こる津波又は突風、竜巻等に対抗可能なコンクリート並びにブロックはセメントと熱硬化性合成樹脂の高分子群をミクロンサイズ粉状の繊維を混練して高分子と繊維群の重合作用を促した混練物に対して更にそのコンクリート又はブロックに選択した骨材の最大粒度の骨材のサイズより０．５ｍｍ短い繊維群を短い順に混練して高分子群と繊維群を完全に複合化した構造の合材でなければ耐候性を維持する事は不可能なのである。
是まで最も対抗性が強いと信じて来たセメントコンクリート及びセメントブロックの強度には不可欠であった靭性を混合することが出来ずその物性が石炭岩の粉末を水と混合して使用する物性の活用を条件として来たための結果でありアスファルトが科学的な条件にプラス出来る物理的な現象の維持等の物性を以って物理的な靭性を手段にしようとしてもＣ°１７０もの高温で溶融しなければならない物性での条件であったため発想が不可能だったのである。そしてセメントが石材の粉末と水との混合体であったために、アスファルト又は合成樹脂等の物性を一体化することが出来ず繊維等の一体化を思考することが出来なかったことはそれぞれの欠陥となっていた。
接着剤又は固化剤である以上固化しようとする物が粉状の物であれ液状の物であれ又見える物であれ見えない物であれ又酸性、塩性、アルカリ性に関わらずその固化された物が確かな固化物として評価出来る物でなければならないのではないか、之の発明をした者としてそう思うのである。
現に之の発明が大地をはじめとする自然界と人類社会に於いて相互の強度と通気性、透水性又は有害物に対する遮断性は勿論のこと、一滴の水分でも吸収してそれを排水する性能と機能さえも確立させたものである。
エネルギーとしての石油が燃料とは別にエチレン化され、石油の活性化が２００種類を越える工業界を確立した訳であるが特にエチレンから高分子と硬化剤とを創出した事によって液状の合成樹脂と粉状の合成樹脂の二大工業界を発展させて来たのであるが、液状でなければ固化しようとする物と混合又は混練が出来ないと言う事では均一な混練と施工を可能にするための接着剤又は塗料にとっては是非なく液状である必要があったのである。然し之の発明に於いては、液状のための溶剤の必要性に就いては、最小限の液剤があれば良いと言う発想に基づいたことによることもあり之の発明の基剤にしていた熱硬化性合成樹脂だったのである。
【課題を解決するための手段】
【０００６】  之の発明は熱硬化性合成樹脂のＣ°２５に於ける高分子群をミクロンサイズ粉状の繊維に吸着させることによって高分子の重合化作用を促し、更にはこれに太さは同様ながら長さを異にする繊維を再混練して複合作用をさせることによって、従来の合成樹脂の固化作用を高分子の重合と複合作用を意図して、然も軽量で且つ強靭な繊維を介して実現した又重合作用をした高分子は従来の個々の作用とは異なる強度を高揚し、且つその効果を複合化のために再吸着させた手段に於いては、長さの異なる作用によって薄膜状に拡張する
粘性によっての効果によって高分子と硬化剤との混練作用を繊維の長さに乗じて拡大して作用させることに成功したのである。
従って之の発明による高分子群の作用は過剰な流動性の中での高分子が個々の状態で作用して来たことに対して、硬化剤との混練に最小限必要な化学合成上必要な溶剤は、当初の重合、次いで複合化のためにした繊維群との相乗作用によって、高分子の作用と繊維による作用を一体化した作用を確立したものである。
本来の効果は高分子と硬化剤による接着剤の効果であっても高分子そのものの効果が高分子個々の作用であったため、繊維に吸着重合及び複合化された効果に至った事と、繊維に吸着作用を手段としたことによって繊維そのものが高分子群と溶剤との相互作用によって、極めて強靭化していることによって之の固化剤による固化物が想定を越えた強靭化を確立したばかりでなく、その繊維の作用によってランダムに作用しての薄膜状に拡張しているため固化剤の中に超微粒子状の空隙を構造させることは容易であり骨材間に空隙を求めて来た透排水性とは全く異なって、目詰りのない透排水性はもとよりその空隙群を調整可能にしたこともその効果は絶大なものであった。
又之の発明が課題としたヘドロの処理に於いても耐候性と共に超微粒子状物の確実な強靭を可能にするだけでなく濡れたままのヘドロ又は焼却灰フライアッシュ又は火山灰シラス等の固化を現実にした。既に国際社会に於いても不足しているのが砕石、砂利、砂等の骨材なのである。この骨材が不足していたのでは土木、建築等に於いては致命的な事態であって河川又は海岸の堤防を高くするにも居住地をかさあげしたり平地をかさあげするにも山を崩して宛てるしかなく益々環境劣化の問題を提起することになる、
之の固化剤の発明によって日々増産され、確実な固化が不可能であった焼却灰フライアッシュ又は火山灰シラス等に加えて久しく末処理のまま排棄されていた雑多な廃棄物を之の固化剤で強靭な固化物として確実に処理して骨材としてリサイクル化を可能にすることが実行出来るのである。又之の発明の固化剤で固化した物がそのまま粘度別にクラックすれば正に産廃の骨材化を以ってリサイクルを実現出来る事になる。
又之の発明によって汚染土等の処理だけでなく放射線セシウム、コバルト等が河川又は海に流出したその汚染水（海水を含む）を焼却灰フライアッシュ等に混練したものにして之の固化剤と一体化すれば汚染水の中の有害物を確実に固化することを可能にする、但しこの場合固化した跡の排水は残るので別の容器に移して有害物の残留を確認してその量が多ければ次の作業でその汚染水の処理を繰り返して残留度を無くして行けばよい。
之の発明の最大の効果は、セメントコンクリートと之の固化剤を混練可能にした事である。然もその効果がコンクリート及びブロックとして最大活用されている分野で想定を超える強靭さを確立し加えて是まで以下の量にして有害物を確実に固化して耐候性並びに一滴の水滴でも是を吸収して排水可能な機能性を加えての活用を実証しているのである。
【発明の効果】〔セメントとの合体〕
従来の熱硬化性合成樹脂のままでは、セメント合材との混合は不可能であった事は周知の通りであった。之の発明はセメントと水、骨材を混合したものに之の発明による固化剤の混練を可能にしたのである。
油と水、ましてや海水であっても混練を可能にした効果は絶大である。その施工性に於いて極めて流動性に充ちたセメントコンクリートに対して、骨材込みの重量に対して、２０ｗｔ％〜２５ｗｔ％の固化剤の混練で充分にコンクリートの性能と機能を改革可能とする。この場合之の固化剤には硬化剤を混練してからセメントに混練する。
〔セメントブロックと混練一体化〕
この場合もセメントコンクリートに対して２０ｗｔ％〜２５ｗｔ％の之の固化剤を混練して行うが、この場合も之の固化剤には硬化剤を混練してからセメント合剤に混合する。
〔熱硬化性合成樹脂だけの固化剤では〕
セメント合剤の比重は２．５前後の比重に対して、之の固化剤は比重１程度であるため従来の想定をはるかに軽量化した固化剤であることを特徴とする。
【図面の簡単な説明】
【図１】  固化しようとする物体が超微細な放射線又は焼却灰のゼオライト又は火山灰のシラスの様な物質を固化しようとする場合の固化剤を示す。
【図２】  固化しようとするものが通常のコンクリートやブロックの様に、例えば６号砕石をトップにした骨材で、細少な骨材は細め砂の様に骨材のサイズが規格されたものの場合の固化剤を表したものである。繊維の太さは図１の時と同様ではあるが複合を手段とする繊維の長さが１ｍｍ以下のものに高分子群を吸着させ繊維そのものが従来の溶剤の中で作用させられて来た高分子の作用を示す。
【符号の説明】ａ・・・０．１ｍｍの繊維と高分子群
ｂ・・・０．３ｍｍの繊維と高分子群
ｃ・・・０．５ｍｍの繊維と高分子群
ｄ・・・０．５ｍｍの繊維と高分子群
ｅ・・・１．０ｍｍの繊維と高分子群
ｆ・・・１．５ｍｍの繊維と高分子群
【実施例】  セメントコンクリートに混合一体化する之の発明による固化剤は熱硬化性合成樹脂のＣ°２５に於ける粘度が１２０００ｃｐｓ〜１３０００ｃｐｓの高分子群をミクロンサイズ粉状の繊維に混練させて吸着させて高分子の重合化を促し更にはこれに太さは同様ながら長さが１ｍｍ〜セメントコンクリートに混合している骨材の最大粒度までの繊維を１ｍｍ毎に再混練して複合化を促した固化剤をセメントコンクリートの重量に対して２０ｗｔ％〜２５ｗｔ％の固化剤に硬化剤を混練したうえで混合する。
繊維の混練時間は、ミクロンサイズ粉状の繊維は２分、更に複合化のために１ｍｍ毎に再混練するのは各１分毎に混練する。又その固化剤をセメントコンクリートに混合するのは約２分とする。
之の固化剤の製造に於いてはオム二ミキサー、又はニーダーで行いその固化剤をセメントコンクリートと混合するミキサーは平型ミキサーほか一般的なミキサーでする。混合を済ませたセメントコンクリートはコンクリートの用途に応じてその型の中に流し込んで固化する。又そのコンクリートをブロックにするときはその型の中に流し込んで固化する。
【発明を実施するための形態】
〔超微粒子状物体の固化剤〕
之の発明は熱硬化性合成樹脂の高分子を練り混んだ二液性本体の高粒度性とそれを吸着したミクロンサイズ粉状の繊維群の作用によって確立された物性の効果によって成立する。従って高分子を混練した本剤のＣ°２５に於ける粒度が１２０００ｃｐｓ〜１３０００ｃｐｓに対して是にミクロンサイズ粉状の繊維群に高分子群を吸着させて高分子の重合作用を意図したもので更にはその混練物に長さが１ｍｍの繊維を更に混練して重合化し効果を拡大し複合化をした固化剤を以って固化させる、対象は放射線セシウム又はセシウム等を吸着したゼオライト等の様に超微粒状物を対象に固化しようとする固化剤である。
又その固化しようとする物が河川の中のヘドロ又はセシウム等が海に流出した汚染水を対象にした固化剤にしたものであり、之の発明でする固化剤は放射線セシウム等をはじめ超微粒子状物質を含め久しく構築し続けて来たセメント、アスファルト等の構造から施工迄の不可欠な熱量等の削減を国際社会が一部でも削減することを実施するにもその対象となる業界のその経済活動が削減される分だけプラスになる代替技術が加えられなければ社会経済に多大な問題を生じる事になるのである。従来の社会通念の展開で一時代が変化する様なことでは無く国策を中心にした改革が重要且つ不可欠だったのである。地球環境は既にその時代を迎えている事は言う迄もない。地方自治体を含め行政の責任に於いて対策に参加させる様にならなければ現状に於ける地球次元の環境改革は実現されることなく、万類共生の地球は終局を迎えざるを得ないと言うことになるのではあるまいか。
之の発明によって久しく不可能とされて来た超微粒子物体、即ち放射性物質又は焼却灰の中のフライアッシュ等が固化処理の対象として処理不可能となって来たその理由は超微粒子物体の固化可能な固化剤が存在しなかったと言う事だったのである。即ちセメントでも又アスファルトでも又合成樹脂であっても、粉状又は練状の物を固化する物が無かったからだと言う事なのである。然し化学技術が広域に広まる現代社会に於いて産業の発展は日進月歩でありその発展を妨げる事は不可能に近い、当然の事ながら経済効果を伴うものであれば尚更の事である。そうして廃材が排出され廃材の中には超微粒子状の物体が排出される量が大気中又は河川又は海に流出して益々環境被害を過酷な状態に加速していることも案じられるのである。焼却処理も高温化が進みその処理量も増加されてはきたが高温化された事によって処理された焼却灰の中にフライアッシュの量が益々大量化しているのである。又火山灰の中のシラスは固化することが不可能で流出した大地に於いてひたすら流れることしか出来ない始末に終っているのが実状なのである。
振り返れば是までにも石炭灰は言うまでも無くＰＣＢ、断熱剤、石綿等々見ることは少なくはなった物のどの様な処理で安全安心なのだと広報して来たのであろうか。何れの公害物もそれぞれの時代に於いては社会に於いて役割を果たして来た物である、然し公害物となって確実な処理方法も解明しないままその形態だけが消えてしまったと思われるのではあるまいか。
【産業上の利用可能性】  之の発明は大地と人類社会との境界をコンクリート又はブロック等で固めて来たのがそのコンクリート又はブロックをはじめ人類社会と自然界が相互に共有又は完全に遮断しなければならなかった性能をコンクリート又はブロック等の物性に於ける原因と技術未開発による原因で人類社会は人類社会なりに自然界は自然界なりに環境分野に於いて支えあうことが限界に来たことを身につまされる時代を迎えている。石炭に端を発したエネルギーによる産業界の発展は石油に代わって一層社会は発展して今日を築いた、然しその自然では地球の温暖化と大地の広域に於ける沈下を起こして来た社会に於いては土壌の涸渇を招き又一方では地盤液状化又は港湾又はダムに於いては土砂の流れによって発生しているヘドロの中では有害なガスを発生させ道路の立橋部分又はトンネルでの事故等が多発し、３．１１の東日本大地震後は止むことを忘れた余震は続くばかりではなく気流の変化は気温迄も変じて突風も珍しくはなくなっている、季節外れのひょうが落ちれば日本では珍しかった竜巻が襲い農作物の被害はもとより建築物にも大きな被害が方々で起っている、又地震の跡の津波の予兆も決して２０〜３０年に一回の襲来ではない予兆である。東日本での原発事故の跡の復興も今日の状況では部分的であれ日本沈没も既に物語の中の話では無くなっているのである、又深海にしか居ない様々な海水物が頻繁に姿を見せているのも気がかりである。四面を海に囲まれた日本では、全国あらゆる所が崩落して終う恐れを感じないではいられない昨今なのである。
この様な環境の中で福島だけの原発事故が居並ぶ中で他の原発の事故が起こらないと言う保証は全く無いのである、古くは昭和２０年８月６日の広島、同９日の長崎その後の福龍丸が水爆実験の被害を受けた日本の原子力に対する感受性はどうなってしまったのであろうか、原発の被害にあってからでさえ
2015219230.tif 000005
えているのではあるまいか。
産廃による被害にも６０余年の間に実に様々な態験に泣いて来たのである、その原因も実に様々であった。その原因になった物を確実に処理可能な技術は無かった筈なのであるがどの様に処理されての心配や不安はないのか否かも確認したいものである。
放射線等を含めて今でもセメント、アスファルト、熱硬化性合成樹脂のままの物性で確実に固化出来てＰＣＢ又は断熱材石綿又は放射線等の様な超微粒子状の物質を確実に固化して、然もその固化物から有害物を溶出させない固化剤は存在しなかったのである、又生コン専用車で生コンを現場でおろし１日の終わりには全国で働く生コン車はそれぞれの洗い場で生コン車に残った生コンを洗い流す訳であるが、流される生コンの量はそれぞれかなりの量になっているのである、そして流された生コンの廃材生コンノロは有害物として指定された所迄移動しなければ処理することが出来ないのが業界の悩みとなっているのである。然しその悩みは単なる悩みなのではない、何を以っても解決しなければならない課題になっていたのであってこの発明はその固化も解決したものである。
之の発明による固化剤の実現によって、容積を大きく減容を実現し、更にはその固化物が是れ迄には想定不可能であった靭性を伴う強度を実現したのである。従って限りなく増大化して来る産業廃棄物の焼却処理に益々超微粒子状のフライアッシュが日々増量化する状態の世相に最も適応した技術の開発が可能にする事になった。そして是れからのコンクリート又はブロック等は従来のクラックしただけでは強度を備えた骨材として活用するを得なかったが之の発明による固化剤が混練された結果廃材は靭性を得ていた物性によって再三再四に亘て骨材としてのリサイクルを実現する技術なのである。
【手続補正２】
【補正対象書類名】図面
【補正対象項目名】全図
【補正方法】変更
【補正の内容】
【図１】
2015219230.tif 000006
【図２】
2015219230.tif 000007